(57)【要約】      （修正有）【課題】カメラ本体にどのようなカメラヘッドが装着されてもカメラ本体側でカメラヘッドとは無関係に好適な画像処理が行われるカメラシステムを提供する。【解決手段】撮像素子の仕様が異なる複数種類のカメラヘッドそれぞれにＪＰＥＧ圧縮部１４０ａを設けてｆｉｎｅの圧縮率でＪＰＥＧ圧縮した画像信号を所定のフォーマットとしてそれぞれのカメラヘッド１ａから出力させるようにする。このｆｉｎｅの圧縮率でＪＰＥＧ圧縮された信号が入力されれば画像処理を行なうことができるカメラ本体１ｂを設けることで、カメラヘッド１ａとは無関係にカメラ本体１ｂ内のＪＰＥＧ圧縮・伸張部１０９ｂおよび信号処理部１０３ｂで画像処理を行なうことができるカメラシステムを実現する。【選択図】  図３
2006054709.tif 000002
【特許請求の範囲】
【請求項１】
撮影光学系と撮像素子とを備えて画像信号を生成する、該撮像素子の仕様が異なる複数種類のカメラヘッドと、該カメラヘッドが交換自在に装着され装着されたカメラヘッドから画像信号を受信して記録媒体への画像記録処理、及び／又は画像表示画面への画像表示処理を行なうカメラ本体とを有するカメラシステムにおいて、
前記カメラヘッドは、該カメラヘッドに備えられた撮像素子で得られた第１の画像信号を、カメラヘッドの種類への依存からは独立した所定フォーマットの第２の画像信号に変換するフォーマット変換部と、
前記フォーマット変換部で得られた第２の画像信号を前記カメラ本体に送信する画像送信部とを備えたものであって、
前記カメラ本体は、
前記画像送信部から送信された前記第２の画像信号を受信する画像受信部と、
前記画像受信部で受信された前記第２の画像信号に基づいて前記画像記録処理、及び／又は画像表示処理を行なう画像処理部とを備えたことを特徴とするカメラシステム。
【請求項２】
前記フォーマット変換部は、所定のフォーマットに圧縮処理された第２の画像信号を生成する圧縮処理部を含むものであり、
前記画像処理部は、前記第２の画像信号を解凍して第３の画像信号を生成する解凍処理部を含み、画像表示画面上に、該解凍処理部で得られた第３の画像信号に基づく画像を表示するものであることを特徴とする請求項１記載のカメラシステム。
【請求項３】
前記フォーマット変換部は、所定のフォーマットに圧縮処理された第２の画像信号を生成する圧縮処理部を含むものであり、
前記画像処理部は、前記第２の画像信号を解凍して第３の画像信号を生成する解凍処理部と、該第３の画像信号に、カメラヘッドの種類への依存からは独立した信号処理を施すことにより第４の画像信号を生成する信号処理部と、該第４の画像信号に圧縮処理を施すことにより第５の画像信号を生成する第２の圧縮処理部とを備え、該第５の画像信号を記録媒体に記録するものであることを特徴とする請求項１記載のカメラシステム。
【請求項４】
撮影光学系と撮像素子とを備えて画像信号を生成する、該撮像素子の仕様が異なる複数種類のカメラヘッドと、該カメラヘッドが交換自在に装着され装着されたカメラヘッドから画像信号を受信して記録媒体への画像記録処理、及び／又は画像表示画面への画像表示処理を行なうカメラ本体とを有するカメラシステムに採用されるカメラヘッドにおいて、
前記カメラヘッドに備えられた撮像素子で得られた第１の画像信号を、カメラヘッドの種類への依存からは独立した所定フォーマットの第２の画像信号に変換するフォーマット変換部と、
前記フォーマット変換部で得られた第２の画像信号を前記カメラ本体に送信する画像送信部とを備えたことを特徴とするカメラヘッド。
【請求項５】
前記フォーマット変換部は、所定のフォーマットに圧縮処理された第２の画像信号を生成する圧縮処理部を含むものであることを特徴とする請求項４記載のカメラヘッド。
【請求項６】
撮影光学系と撮像素子とを備えて画像信号を生成する、該撮像素子の仕様が異なる複数種類のカメラヘッドが交換自在に装着され装着されたカメラヘッドから画像信号を受信して記録媒体への画像記録処理、及び／又は画像表示画面への画像表示処理を行なうカメラ本体において、
前記カメラヘッドは、該カメラヘッドに備えられた撮像素子で得られた第１の画像信号を、カメラヘッドの種類への依存からは独立した所定フォーマットの第２の画像信号に変換するフォーマット変換部と、
前記フォーマット変換部で得られた第２の画像信号を前記カメラ本体に送信する画像送信部とを備えたものであって、
このカメラ本体は、
前記画像送信部から送信された前記第２の画像信号を受信する画像受信部と、
前記画像受信部で受信された前記第２の画像信号に基づいて前記画像記録処理、及び／又は画像表示処理を行なう画像処理部とを備えたことを特徴とするカメラ本体。
【請求項７】
前記フォーマット変換部は、所定のフォーマットに圧縮処理された第２の画像信号を生成する圧縮処理部を含むものであり、
前記画像処理部は、前記第２の画像信号を解凍して第３の画像信号を生成する解凍処理部を含み、画像表示画面上に該解凍処理部で得られた第３の画像信号に基づく画像を表示するものであることを特徴とする請求項６記載のカメラ本体。
【請求項８】
前記フォーマット変換部は、所定のフォーマットに圧縮処理された第２の画像信号を生成する圧縮処理部を含むものであり、
前記画像処理部は、前記第２の画像信号を解凍して第３の画像信号を生成する解凍処理部と、該第３の画像信号に、カメラヘッドの種類への依存からは独立した信号処理を施すことにより第４の画像信号を生成する信号処理部と、該第４の画像信号に圧縮処理を施すことにより第５の画像信号を生成する第２の圧縮処理部とを備え、該第５の画像信号を記録媒体に記録するものであることを特徴とする請求項６記載のカメラ本体。
【発明の詳細な説明】
【技術分野】
【０００１】
本発明は、撮影光学系と撮像素子とを備えて画像信号を生成する、その撮像素子の仕様が異なる複数種類のカメラヘッドと、そのカメラヘッドが交換自在に装着され装着されたカメラヘッドから画像信号を受信して記録媒体への画像記録処理、及び／又は画像表示画面への画像表示処理を行なうカメラ本体とを有するカメラシステムおよびそのカメラシステムを構成するカメラヘッドおよびカメラ本体に関する。
【背景技術】
【０００２】
撮像素子と撮影光学系が一体的になったプラグインユニットがカメラ本体に装着されると、そのプラグインユニットの情報がカメラ本体側に伝達されて、そのプラグインユニットが備える撮影光学系で撮影を行なうことができるようになるカメラシステムが提案されている（特許文献１参照）。このようにプラグインユニットがカメラ本体に装着されるだけで撮影光学系つまり撮影レンズの交換が行なわれるカメラシステムが実現されると、カメラシステムの取り扱いが非常に簡単になり、専門的な知識を持たない人にでも簡単に撮影レンズの交換を行なわせることができる。
【０００３】
同様なものに、撮影光学系と撮像素子とを備えたカメラヘッドと、カメラヘッドが着脱自在に装着されカメラヘッドから画像信号を受け取って信号処理を行なうカメラ本体とを備えたカメラシステムがある（例えば特許文献２〜３参照）。
【０００４】
このようなカメラシステムにおいては、カメラヘッドについても、またカメラ本体についても上位から下位に至るまで様々なグレードの製品を取り揃えておいてその中のどのカメラヘッドを選択しても、またどのカメラ本体を選択しても容易に組み合わせることができるようにしておくと、どのようなユーザニーズにも対応可能なカメラシステムになる（例えば特許文献４参照）。
【０００５】
特許文献４には、なるべく多くのカメラヘッドとカメラ本体の組合せが可能なようにカメラヘッドからカメラヘッドの構成に関する情報がカメラ本体側に伝達されて適応的な処理が行なえるようにしたカメラシステムが示されているが、撮像素子の多様化が進んで撮像素子の画素数やフィルタ配列などにも様々なものが出てきているため、適応的な処理を行なうにも限界がある。
【０００６】
ところで、ビデオカメラの中には、動画（ビデオ）撮影用の他に静止画撮影用の交換ヘッドを準備しておき、ビデオ撮影用の交換ヘッドが本体に装着されたときにはビデオテープに動画の記録を行い、その静止画撮影用の交換ヘッドが本体に装着されたときには、ビデオテープに代えて交換ヘッド内のメモリカードにＪＰＥＧ圧縮した静止画像を記録することができるようにしているものもある（例えば特許文献５参照）。
【０００７】
そこで、このようなビデオカメラに採用された技術を上記カメラシステムに適用して、複数の種類のカメラヘッドそれぞれにＪＰＥＧ圧縮・伸張部を各設けることにより、各カメラヘッドに撮像素子に対応した画像処理を行なわせることによって複数の種類のうちのいずれのカメラヘッドがカメラ本体に装着されても適応的な画像処理を行なうことができるカメラシステムを構成することが考えられる。しかし、カメラ本体側に表示画面を設けることが多いため、カメラヘッドを装着しない限り再生が行なえないという不都合が生じてしまう恐れがある。
【０００８】
また、カメラヘッド側にＪＰＥＧ圧縮・伸張部を設けるとなると、予め、定められた記録領域内に画像信号を記録することができるように記録画像の容量を、予め定めた最大値内に抑える、いわゆる固定長化をカメラヘッド側で行なってから画像信号を記録媒体に記録することになってしまう。この固定長化を行なうと、フィルム枚数のように記録媒体例えばメモリーカードに記録される撮影画像の枚数を固定的にすることができるようになる。
【０００９】
しかしながら、前述したように撮像素子の多様化が進んで画素数や色フィルタの配列にも様々なものが出現してきて撮像素子ごとの画素数などのばらつきが今までに比べて大きくなってくると、各カメラヘッドが備える信号処理部およびＪＰＥＧ・圧縮伸張部にいままどおりの固定長化を行なわせようとしてもその信号処理部およびＪＰＥＧ・圧縮部が記録媒体内の記録領域を超える容量までの圧縮処理しか行なうことができない状況が発生する可能性がある。
【特許文献１】特開平８−１７２５６１号公報
【特許文献２】特開２０００−１７５０８９号公報
【特許文献３】特開２０００−３２３０８号公報
【特許文献４】特開２０００−５０１３８号公報
【特許文献５】特開２００４−４０５７３号公報
【発明の開示】
【発明が解決しようとする課題】
【００１０】
本発明は、上記事情に鑑み、カメラ本体にどのようなカメラヘッドが装着されてもカメラヘッド側とは無関係に固定長化を行なうことができるカメラシステム、そのカメラシステムを構成するとともに単体でも動作可能なカメラ本体、およびそのカメラ本体に装着されるカメラヘッドを提供することを目的とする。
【課題を解決するための手段】
【００１１】
上記目的を達成する本発明のカメラシステムは、撮影光学系と撮像素子とを備えて画像信号を生成する、その撮像素子の仕様が異なる複数種類のカメラヘッドと、そのカメラヘッドが交換自在に装着され装着されたカメラヘッドから画像信号を受信して記録媒体への画像記録処理、及び／又は画像表示画面への画像表示処理を行なうカメラ本体とを有するカメラシステムにおいて、
上記カメラヘッドは、そのカメラヘッドに備えられた撮像素子で得られた第１の画像信号を、カメラヘッドの種類への依存からは独立した所定フォーマットの第２の画像信号に変換するフォーマット変換部と、
上記フォーマット変換部で得られた第２の画像信号を上記カメラ本体に送信する画像送信部とを備え
上記カメラ本体は、
上記画像送信部から送信された上記第２の画像信号を受信する画像受信部と、
上記画像受信部で受信された上記第２の画像信号に基づいて上記画像記録処理、及び／又は画像表示処理を行なう画像処理部とを備えたことを特徴とする。
【００１２】
上記カメラシステムによれば、上記フォーマット変換部によりカメラヘッドの種類への依存からは独立した所定フォーマットの第２の画像信号に変換されるため、どのようなカメラヘッドであっても、そのカメラヘッドから出力される画像信号が同一のフォーマットを持つ第２の画像信号になる。そうするとその第２の画像信号を受けて信号処理を行なう上記画像処理部をカメラ本体に設けておきさえすれば、どのようなカメラヘッドがカメラ本体に装着されてもカメラヘッド側とは無関係にカメラ本体で固定長化を行なうことができるカメラシステムが実現される。
【００１３】
ここで、上記フォーマット変換部は、所定のフォーマットに圧縮処理された第２の画像信号を生成する圧縮処理部を含むものであり、
上記画像処理部は、上記第２の画像信号を解凍して第３の画像信号を生成する解凍処理部を含み、画像表示画面上にその解凍処理部で得られた第３の画像信号に基づく画像を表示するものであることが好ましい。
【００１４】
例えば上記所定のフォーマットの第２の画像信号を上記圧縮処理部で所定のフォーマットに圧縮処理した信号であるとすると、いままでのデジタルカメラに搭載されていたＪＰＥＧ圧縮・伸張部の圧縮部をカメラヘッドに設けて上記圧縮処理部として用い、また、ＪＰＥＧ圧縮・伸張部の伸張部をカメラ本体に設けて上記解凍処理部として用いることができる。
【００１５】
そうすると、上記圧縮処理部と上記解凍処理部とが既存の技術の組合せで簡単に構成され、カメラヘッドの種類がどのようなものであっても、装着されたカメラヘッドから上記圧縮処理部で圧縮処理され所定のフォーマットになった第２の画像信号が送られてきて、その第２の画像信号が上記画像処理部により解凍されて第３の画像信号が生成され、その第３の画像信号に基づく画像が画像表示画面上に表示される。
【００１６】
このようにしておくと、どのようなカメラヘッドがカメラ本体に装着されたとしても、このカメラシステムの電源が投入されたときにはその装着されたカメラヘッドの撮像素子で生成された画像信号に基づく被写体が画像表示画面上にすぐに表示され、すぐに撮影スタンバイ状態になるカメラシステムが実現される。
【００１７】
また、上記フォーマット変換部は、所定のフォーマットに圧縮処理された第２の画像信号を生成する圧縮処理部を含むものであり、
上記画像処理部は、上記第２の画像信号を解凍して第３の画像信号を生成する解凍処理部と、上記第３の画像信号に、カメラヘッドの種類への依存からは独立した信号処理を施すことにより第４の画像信号を生成する信号処理部と、その第４の画像信号に圧縮処理を施すことにより第５の画像信号を生成する第２の圧縮処理部とを備え、その第５の画像信号を記録媒体に記録するものであることが好ましい。
【００１８】
そうすると、撮影操作に応じてカメラヘッドから第２の画像信号が供給されてきたときに、カメラヘッドの種類への依存からは独立した信号処理を上記信号処理部で施すことにより生成した上記第４の画像信号に上記第２の圧縮処理部で圧縮処理を施して第５の画像信号を生成してその第５の画像信号を記録媒体に記録することができる。上記第２の画像信号と上記第５の画像信号とをそれぞれ圧縮状態の異なるものであるとすると、例えば撮影者が指定した圧縮率に応じた圧縮率で第５の画像信号を生成して固定長化を行なってから記録媒体に記録することができる。
【００１９】
また、上記目的を達成する本発明のカメラヘッドは、撮影光学系と撮像素子とを備えて画像信号を生成する、該撮像素子の仕様が異なる複数種類のカメラヘッドと、そのカメラヘッドが交換自在に装着され装着されたカメラヘッドから画像信号を受信して記録媒体への画像記録処理、及び／又は画像表示画面への画像表示処理を行なうカメラ本体とを有するカメラシステムに採用されるカメラヘッドにおいて、
上記カメラヘッドに備えられた撮像素子で得られた第１の画像信号を、カメラヘッドの種類への依存からは独立した所定フォーマットの第２の画像信号に変換するフォーマット変換部と、
上記フォーマット変換部で得られた第２の画像信号を上記カメラ本体に送信する画像送信部とを備えたことを特徴とする。
【００２０】
このように本発明のカメラヘッドがカメラ本体側へ所定フォーマットの第２の画像信号を送信するものであると、カメラヘッドの出力信号に規格化された種類の信号を用いることができる。そうすると、カメラヘッドの出力信号を受けて画像処理を行なうことができるカメラ本体を設けておきさえすれば、そのカメラ本体に自在に装着されるカメラヘッドが実現される。
【００２１】
ここで上記フォーマット変換部は、所定のフォーマットに圧縮処理された第２の画像信号を生成する圧縮処理部を含むものであることが好ましい。
【００２２】
そうすると、前述したＪＰＥＧ圧縮・伸張部の圧縮部をカメラヘッド側に設けるいままでの構成をそのまま用いることができる。
【００２３】
ここで、上記圧縮処理部は、最も小さな圧縮率に相当する圧縮を行なってからＪＰＥＧ圧縮された信号を第２の画像信号として出力させるものであることが好ましい。
【００２４】
そうすると、ある程度の容量を持った画像信号を第２の画像信号としてカメラ本体へ送信することができるため、カメラ本体側で再度画像処理を行なうことにより固定長化を行なってから記録媒体に記録することもできる。
【００２５】
上記本発明のカメラヘッドを受け入れる本発明のカメラ本体は、
撮影光学系と撮像素子とを備えて画像信号を生成する、その撮像素子の仕様が異なる複数種類のカメラヘッドが交換自在に装着され装着されたカメラヘッドから画像信号を受信して記録媒体への画像記録処理、及び／又は画像表示画面への画像表示処理を行なうカメラ本体であって、
上記カメラヘッドは、そのカメラヘッドに備えられた撮像素子で得られた第１の画像信号を、カメラヘッドの種類への依存からは独立した所定フォーマットの第２の画像信号に変換するフォーマット変換部と、
上記フォーマット変換部で得られた第２の画像信号を上記カメラ本体に送信する画像送信部とを備えたものであって、
このカメラ本体は、
上記画像送信部から送信された前記第２の画像信号を受信する画像受信部と、
上記画像受信部で受信された上記第２の画像信号に基づいて上記画像記録処理、及び／又は画像表示処理を行なう画像処理部とを備えたことを特徴とする。
【００２６】
上記フォーマット変換部はフォーマット化することができるものであれば何でも良いが、上記フォーマット変換部が、所定のフォーマットに圧縮処理された第２の画像信号を生成する圧縮処理部を含むものであり、
上記画像処理部は、上記第２の画像信号を解凍して第３の画像信号を生成する解凍処理部を含み、画像表示画面上にその解凍処理部で得られた第３の画像信号に基づく画像を表示するものであることが好ましい。
【００２７】
このようにフォーマット変換部が、所定のフォーマットに圧縮処理された第２の画像信号を生成する圧縮処理部を含むものであって、その圧縮処理部がＪＰＥＧ圧縮・伸張部であったとすると、いままでのＪＰＥＧ圧縮・伸張部の圧縮部によって圧縮を行なった画像信号を第２の画像信号としてカメラ本体へ送信してその第２の画像信号をＪＰＥＧ圧縮・伸張部の伸張部によって解凍して第３の画像信号を簡単に得ることができる。
【００２８】
例えば、上記カメラヘッドから上記第２の画像信号としてレンズが捉えた被写体を表す、ＪＰＥＧ圧縮処理された信号が所定の時刻ごとにカメラ本体に供給されてきたら、上記画像処理部でその第２の画像信号から上記第３の画像信号を所定の時刻ごとに生成してその第３の画像信号に基づく画像を動画像として画像表示画面上に表示することができる。さらに、記録媒体に記録されている画像信号が上記第２の画像信号に類するものであれば、上記画像処理部により上記第３の画像信号を生成して再生画像を表示画面上に再生表示することもできる。
【００２９】
このようにすると、カメラヘッドが装着されたときには撮影システムの一部の構成要素として動作するカメラ本体が実現されるとともに、カメラヘッドを装着することなく再生表示などを行なう、単体で動作するカメラ本体が実現される。
【００３０】
また、上記フォーマット変換部は、所定のフォーマットに圧縮処理された第２の画像信号を生成する圧縮処理部を含むものであり、
上記画像処理部は、上記第２の画像信号を解凍して第３の画像信号を生成する解凍処理部と、上記第３の画像信号に、カメラヘッドの種類への依存からは独立した信号処理を施すことにより第４の画像信号を生成する信号処理部と、その第４の画像信号に圧縮処理を施すことにより第５の画像信号を生成する第２の圧縮処理部とを備え、その第５の画像信号を記録媒体に記録するものでことが好ましい。
【００３１】
そうすると、撮影操作に応じてカメラヘッドから第２の画像信号が供給されてきたときに、カメラヘッドの種類への依存からは独立した信号処理を上記信号処理部で施すことにより生成した上記第４の画像信号に上記第２の圧縮処理部で圧縮処理を施すことにより固定長化された第５の画像信号を生成した後、その固定長化された第５の画像信号を記録媒体に記録することができる。上記第２の画像信号と上記第５の画像信号とがそれぞれ圧縮状態の異なるものであるとすると、例えば撮影者が操作により圧縮率を指定した場合などにおいてはその指定された圧縮率に応じて固定長化された第５の画像信号を記録媒体に記録することもできる。
【発明の効果】
【００３２】
以上、説明したように、カメラ本体にどのようなカメラヘッドが装着されてもカメラヘッド側とは無関係に固定長化を行なうことができるカメラシステム、そのカメラシステムを構成するとともに単体でも動作可能なカメラ本体、およびそのカメラ本体に装着されるカメラヘッドが実現される。
【発明を実施するための最良の形態】
【００３３】
以下、本発明の実施の形態について説明する。
【００３４】
図１は、本発明の一実施形態であるカメラシステムを示す図である。
【００３５】
図1には、撮影光学系と撮像素子とを備えて画像信号を生成する、その撮像素子の仕様が異なる複数種類のカメラヘッド１ａ〜ｎａと、それらのカメラヘッド１ａ〜ｎａのうちのいずれかが交換自在に装着され装着されたカメラヘッドから画像信号を受信して記録媒体への画像記録処理、及び／又は画像表示画面への画像表示処理を行なうカメラ本体１ｂとを有するカメラシステム１が示されている。
【００３６】
本発明のカメラシステム１を説明するにあたって、複数種類１ａ〜ｎａのうちの一つのカメラヘッド１ａがカメラ本体１ｂに交換自在に装着されてカメラシステム１が構成されたとして以降説明する。
【００３７】
図２は、その複数の種類の中の一つであるカメラヘッド１ａがカメラ本体１ｂに交換自在に装着されカメラシステム１が構成されるときの外観を示す図である。
【００３８】
図２には、撮影光学系と撮像素子とを備えたカメラヘッド１ａが、そのカメラヘッド１ａが着脱自在に装着されカメラヘッド１ａから画像信号を受け取って信号処理を行なうカメラ本体１ｂに装着される直前の状態が示されている。
【００３９】
図２に示すようにカメラ本体１ｂの中央には、多数のマウント接点を持つヘッドマウント１０ｂが設けられ、またカメラヘッド１ａ側にも同様のマウント部が設けられている。双方のマウント接点の位置がそれぞれあうように図中の一点鎖線に沿ってカメラヘッド１ａがカメラ本体１ｂに機械的に装着されると、多数のマウント接点同士が各々接続されてカメラヘッド１ａとカメラ本体１ｂとが電気的にも接続される。
【００４０】
このカメラシステム１は、カメラ本体１ｂ側にバッテリが配備され、そのバッテリからカメラ本体に電力が供給されるとともに、カメラヘッド１ａとカメラ本体１ｂとの双方が備える多数のマウント接点の中の電力用接点を通してカメラヘッドにも電力が供給される構成になっている。その電力用の接点を通してカメラ本体のバッテリの電力がカメラヘッドに供給されると、カメラヘッド１ａとカメラ本体１ｂとの双方がともに動作状態になる。
【００４１】
また、カメラ本体１ｂのボディ上面にはレリーズ釦１３ｂとモードダイヤル１４ｂが配備されており、そのモードダイヤル１４ｂにより撮影モードが選択されレリーズ釦１３ｂが押下されると撮影が行なわれる。そのモードダイヤル１４ｂの中には、撮影モード以外に再生モードや電源スイッチなどの項目もあり、回転操作によりそれらの項目の中の一つが選択される。またカメラ本体１ｂの前面にはＡＷＢセンサ１１ｂや閃光発光窓１２ｂなどが設けられている。
【００４２】
ここで図３を参照してカメラヘッド１ａとカメラ本体１ｂの内部の構成を説明する。
【００４３】
図３はカメラヘッド１ａがカメラ本体１ｂに装着された状態にあるときの電気系統の構成を示すブロック図である。
【００４４】
図３の上方側にはカメラヘッド１ａの構成が、また図３の下方側にはカメラ本体１ｂの構成がそれぞれ示されている。
【００４５】
まず、カメラヘッド１ａ側の構成を説明する。
【００４６】
本実施形態のカメラシステム１を構成するカメラヘッド１ａは、カメラ本体１ｂに装着されてカメラ本体１ｂ側のバッテリＢｔから電力の供給を受けて動作するものである。ここではカメラヘッド１ａがカメラ本体１ｂに装着されているものとして以降説明する。
【００４７】
図３に示すようにカメラ本体１ｂに装着されたカメラヘッド１ａには、撮影光学系１１ａと撮像素子（ここではＣＣＤ固体撮像素子が用いられているので以下ＣＣＤという）１２ａとが備えられている。その撮影光学系１１ａ内には撮影レンズや絞りなどが配備されている。その撮影光学系１１ａ内の撮影レンズで被写体をＣＣＤ１２ａに結像させて、ＣＣＤ１２ａで画像データの生成を行なっている。このＣＣＤ１２ａで生成した画像データをアナログ信号処理部１３ａに出力してそのアナログ信号処理部１３ａでノイズ低減の処理などを行なった後、後段のＡ／Ｄ部１４ａでアナログ信号の画像信号をデジタル信号の画像信号に変換している。さらにデジタル信号に変換された画像信号が後段のデジタル信号処理部１４０ａに供給され、ここでこのカメラヘッド１ａが備えるＣＣＤ１２ａのコンフィギュレーションに応じた信号処理が施される。その信号処理が施された画像信号がＪＰＥＧ圧縮部１４１ａに供給され、ＪＰＥＧ圧縮部１４１ａでＪＰＥＧ圧縮されＪＰＥＧ圧縮処理された画像信号が高速シリアルドライバ１５０ａに供給される。このＪＰＥＧ圧縮部が本発明にいうフォーマット変換部にあたり、またそのＪＰＥＧ圧縮部で圧縮処理された画像信号が本発明にいう第２の画像信号にあたる。
【００４８】
この高速シリアルバスを通ってカメラ本体１ｂに供給される、ＪＰＥＧ圧縮された画像信号の中には、モードダイヤル１４ｂによっていずれかの撮影モードが選択された状態にあるときに撮影光学系内の撮影レンズが捉えた被写体をＬＣＤパネル（図示せず）上に表示するためのスルー画用の画像信号（以下スルー画信号という）やその撮影モードの中の静止画撮影モードが選択された状態にあるときにレリーズ釦１３ｂの操作により得られる静止画像を表す画像信号（以下静止画信号という）やその撮影モードの中の動画モードが選択された状態にあるときにレリーズ釦１３ｂの操作により得られる動画を表す画像信号（以下動画信号という）の３通りの画像信号がある。これらの画像信号のうちのいずれかがカメラ本体１ｂ側からの要求によって高速シリアルバスを通ってカメラ本体１ｂ側に圧縮された状態で送信される。
【００４９】
一方、Ａ／Ｄ部１４ａでデジタル信号に変換された画像信号はＡ／Ｄ部１４ａの後段に設けられた積算回路１６ａにも供給されている。この積算回路１６ａはＡＦ機能（以下ＡＦという）およびＡＥ機能（以下ＡＥという）を果たすものであって、この積算回路１６ａによってＡＥ機能を働かせるための被写界輝度の測定やＡＦ機能を働かせるための被写体距離の測定が行なわれている。その積算回路１６ａで測定された被写体距離や被写界輝度がデータバス１９２ａを介して絞り／フォーカス／ズーム制御部１７ａに供給され、その絞り／フォーカス／ズーム制御部１７ａによって撮影光学系内の絞りの径が調節されたり、撮影光学系内のフォーカスレンズの位置が調節されたりする。このようにしておくとこのカメラヘッド１ａが備える撮影光学系内のレンズが異なる被写体に向けられる度にＡＦやＡＥが働きすぐにピントや輝度の調整が行なわれてピントの合った被写体を表す画像データがＣＣＤ１２ａで生成されＣＣＤ１２ａから出力される。
【００５０】
これらのＣＣＤ１２ａ、アナログ信号処理部１３ａ、Ａ／Ｄ部１４ａ、積算回路１６ａはタイミングジェネレータ（以下ＴＧという）１８ａからのタイミング信号に同期して動作するものであり、そのＴＧ１８ａの動作はヘッドＣＰＵ１９ａに制御されている。このヘッドＣＰＵ１９ａはシステムメモリ１９０ａ内に格納されているプログラムの手順にしたがってＴＧ１８ａや絞り／フォーカス／ズーム制御部１７ａなどの制御を行なうものであって、そのシステムメモリ１９０ａ内には、初期化の処理手順やＡＥやＡＦの処理手順やシリアルバスでの通信に関する処理手順などを示すソフトウエアが格納されている。このソフトウエアの中には、モードダイヤル１４ｂによって撮影モード、さらに静止画撮影モードが選択されたときに起動されるスルー画処理に関するソフトウエアや静止画処理に関するソフトウエア、また動画撮影モードが選択されたときに起動される動画処理に関するソフトウエアなどもある。これらのソフトウエアに記述されている処理手順にしたがって、このカメラヘッドの初期化や、その初期化が行なわれた後の各部の信号処理動作がヘッドＣＰＵ１９ａによって制御されている。この各部の動作の中には、信号処理部の動作や積算回路１６ａの動作やＴＧ１８ａの動作や不揮発性メモリ１９１ａのリードライト動作や３線シリアルドライバ１５１ａの動作や高速シリアルドライバ１５０ａの動作などが含まれている。
【００５１】
また、不揮発性メモリ１９１ａには、カメラヘッド１ａ用のコンフィギュレーション情報などが記憶されている。さらに３線シリアルバスを駆動する３線シリアルドライバ１５１ｂがカメラヘッドおよびカメラ本体との双方に配備されており、双方のドライバで駆動されるシリアルバスによってカメラ本体１ｂからカメラヘッド１ａへ、あるいはカメラヘッド１ａからカメラ本体１ｂへのコマンドのやり取りが行なわれている。例えばカメラ本体１ｂからスルー画信号や静止画像あるいは動画信号の送信の要求に対応するコマンドが３線シリアルバスを経由して送信されてきた場合には、その３線シリアルバスよりも高速の高速シリアルバスによってＪＰＥＧ圧縮された画像信号がカメラ本体１ｂへ送信される。
【００５２】
以上がカメラヘッド１ａの構成である。
【００５３】
次にカメラ本体１ｂの構成を説明する。
【００５４】
カメラ本体１ｂの動作はカメラヘッドと同様に、本体側のＣＰＵ１００ｂにより統括的に制御されている。このカメラ本体１ｂ側には、初期化の処理手順を示すソフトウエアなどが格納されているシステムメモリ１０１ｂなどが配備されている。
【００５５】
前述したようにカメラヘッド側から高速シリアルバスを通して送信されてくる画像信号が上記ＣＰＵ１００ｂにより制御されている高速シリアルドライバ１５０ｂにより受信されてＪＰＥＧ圧縮・伸張部１０３１ｂにその受信された画像信号が供給されてＪＰＥＧ圧縮されていた画像信号が伸張される。この高速シリアルドライバ１５０ｂが本発明にいう画像受信部にあたり、ＪＰＥＧ圧縮・伸張部１０３１ｂの伸張部および後述する信号処理部１０３ｂが本発明にいう画像処理部にあたる。
【００５６】
本実施形態では、前述したようにカメラヘッド１ａからスルー画信号、静止画信号、動画信号の３種類の画像信号のうちのいずれかが送信されてくる。例えばスルー画信号であればそのスルー画信号がＪＰＥＧ圧縮されて送信されてくるので、カメラ本体のＪＰＥＧ圧縮伸張部１０３１ｂで伸張されて信号処理部１０３ｂに供給されその信号処理部１０３ｂで表示用のスルー画信号に変換される。その表示用のスルー画信号がフレームメモリ１０４ｂに記憶され、ＬＣＤ制御部１０５ｂによりそのフレームメモリ１０４ｂに記憶されているスルー画信号が読み出されてＬＣＤ１０５０ｂのＬＣＤパネル上にスルー画信号に基づくスルー画が表示される。ＬＣＤ制御部１０５ｂにはＯＳＤ（Ｏｎ  Ｓｃｒｅｅｎ  Ｄｉｓｐｌａｙ）１０５１ｂ側からの情報も供給されており、このＬＣＤ画面上には、スルー画とともに選択メニューなども表示されるようになっている。
【００５７】
また、カメラ本体１ｂには、上記のような画像信号の処理を行なう部分のほか、ＯＳＤ１０５１ｂを経由してＬＣＤ画面上に時刻や日付情報を表示するためのデータを作成するタイマ１１０ｂやカレンダ時計１１１ｂなどや外部機器との接続用のＵＳＢドライバ１３１ｂおよびＵＳＢコネクタ１３０ｂや操作指示を与えるスイッチ／ＬＥＤ等１３２ｂなども配備されている。このスイッチの操作指示などはＩ／Ｏ１３３ｂを介して本体ＣＰＵ１００ｂに供給され、本体ＣＰＵ１００ｂではその操作指示に応じた処理が行なわれる。ただしレリーズ釦１３ｂは本体ＣＰＵ１００ｂおよびヘッドＣＰＵ１９ａの双方の割り込み端子に直接接続されており、レリーズ釦１３ｂが押されたときには、双方のＣＰＵ１９ａ，１００ｂに割り込みがかけられて静止画処理プログラムもしくは動画プログラムが起動されるようになっている。
【００５８】
なお、カメラ本体に配備されているバッテリＢｔからカメラ本体１ｂ側のＤＣ／ＤＣコンバータ１４１ｂを介してカメラ本体１ｂの本体各部へ電力が供給されるとともに、バッテリＢｔからカメラヘッド１ａ側のＤＣ／ＤＣコンバータ１０１ａを介してヘッド各部へ電力が供給される。これらのＤＣ／ＤＣコンバータ１０１ａ，１４１ｂは共にカメラヘッド１ａとカメラ本体１ｂとがそれぞれ備える電源制御部１００ａ，１４０ｂにより制御され、電源の投入指示がモードダイヤル１４ｂの操作により本体側の電源制御部１４０ｂに与えられたら、本体側の電源制御部から本体側のＤＣ／ＤＣコンバータに対して出力指示が供給されるとともに、Ｉ／Ｏ１６１ｂを介してカメラヘッド１ｂ側の電源制御部１００ａにも出力指示が供給されてＤＣ／ＤＣコンバータ１０１ａからヘッド各部へ電力が供給されるようになっている。
【００５９】
ここで、画像処理部の一部にあたる本体側の信号処理部１０３ｂの内部構成を示し、どのような処理がその信号処理部１０３ｂ内で行なわれるかを説明する。
【００６０】
図４は本体のデジタル信号処理部１０３ｂの内部構成を示す図である。
【００６１】
このデジタル信号処理部１０３ｂに、装着されたカメラヘッド１ａから高速シリアルドライバにより駆動される高速シリアルバスを通って、圧縮された、スルー画信号や静止画信号や動画信号のうちのいずれかの信号が送信されてきたら、前述したようにＪＰＥＧ圧縮伸張部でその圧縮された画像信号が伸張される。そうしたら、このデジタル信号処理部１０３ｂにその伸張された画像信号が供給されてきて信号処理部での画像処理が開始される。
【００６２】
例えばスルー画信号が供給されてきてＬＣＤ１０５ｂのパネル上にそのスルー画信号に基づくスルー画を表示しようとするときには、オフセット補正部１０３１ｂでのダイナミックレンジの調整、ＷＢゲイン乗算部１０３３ｂでの純度の高い白色を得るためのＲ信号の利得，Ｇ信号の利得，Ｂ信号の利得調整、次にリニアＭＴＸ部１０３４ｂでのＹＣｒＣｂ信号への変換、さらにガンマ補正部１０３５ｂでの輝度調整が行なわれた後のＹＣ信号がフレームメモリ１０４ｂに所定の時刻ごとに供給されそのフレームメモリ１０４ｂに記憶されたＹＣ信号に基づく画像がＬＣＤパネル上にスルー画像として表示される。このフレームメモリに記憶されたＹＣ信号が本発明にいう第３の信号にあたる。
【００６３】
そのスルー画を見ながらレリーズ釦１３ｂが押されたら、ＣＣＤ１２ａで生成された静止画信号がＪＰＥＧ圧縮信号となってＪＰＥＧ圧縮・伸張部１０９ｂに供給され、そのＪＰＥＧ圧縮・伸張部１０９ｂで伸張された静止画信号が信号処理部１０３ｂに供給される。そうしたら、スルー画信号のときと同様の処理がオフセット補正部１０３１ｂからγ補正までの処理部１０３５ｂで行なわれてＹＣ信号が生成される。そのＹＣ信号が同時化部１０３６ｂで同時化されてＹ信号は輪郭補正部１０３７１ｂへ、色信号は色差ＭＴＸへそれぞれ供給される。輪郭補正部ではエッジ強調が行なわれ、色差ＭＴＸ部１０３７２ｂではＣ信号が色差信号に変換されて、Ｙ信号および色差信号がＪＰＥＧ圧縮部１０３８ｂでＪＰＥＧ圧縮処理されてメモリカードに記録される。上記信号処理部１０３ｂ内のＪＰＥＧ圧縮部を除く部分が、本発明にいう信号処理部にあたり、この信号処理部内の最後尾にあるＪＰＥＧ圧縮部１０３８ｂが本発明にいう第２の圧縮処理部にあたる。
【００６４】
なお、ＷＢゲイン乗算部１０３３ｂおよび積算回路１０３２ｂには、後述するセットアップモードで指定された画素数がパラメータとしてセットされたり、リニアＭＴＸ部にはトーンや彩度の設定に応じて色変換行列の行列係数がパラメータとしてセットされたり、また、シャープネスなどの設定に応じてエッジ強調用の行列係数が輪郭補正部にパラメータとしてセットされたりした後、各部で処理が行なわれるようになっている。
【００６５】
さらに動画像信号も、静止画信号と同様の経路を経由してメモリカードスロット１０７ｂに装填されているメモリカード１０８ｂに記録される。
【００６６】
このようにカメラヘッドが交換自在に装着され装着されたカメラヘッドから画像信号を受信してカメラ本体側で記録媒体（メモリカード）への画像記録処理、及び／又は画像表示画面への画像表示処理が適宜行なわれるカメラシステムが実現される。
【００６７】
このようにしてどのようなカメラヘッドが装着されたとしてもカメラ本体側で好適な画像処理が行なわれるカメラシステムが構成されるようになる。
【００６８】
ここで、カメラ本体側の信号処理部の各部にパラメータをセットするためのセットアップモードを説明する。
【００６９】
図５は、セットアップモードの表示画面を示す図である。
【００７０】
図５に示すように上から画質モード、画素数、シャープネス、トーン、彩度、ＩＳＯ感度の順に選択項目が並んでいる。
【００７１】
例えば、画質モードの中のいずれか（例えばＮｏｒａｍｌ）が指定されると、Ｎｏｒａｍｌに応じた圧縮率がパラメータとして信号処理部内のＪＰＥＧ圧縮部に指定される。このとき圧縮率に応じて本体ＣＰＵにより記録媒体（メモリカード）の記録領域のメモリ割付も行なわれる。例えばＮｏｒａｍｌが指定されると、本体ＣＰＵによってＮｏｒｍａｌに応じた圧縮率（２ｂｉｔ／ｐｅｌ）でＪＰＥＧ圧縮したときの画像信号のデータ容量の最大値に対応するだけの分割領域が確保され、さらにＪＰＥＧ圧縮部でその分割領域内に記録されるような圧縮が行なわれる。このように固定長化を行なうようにしておくと、Ｎｏｒｍａｌでの撮影枚数が明確になり、記録媒体(メモリカード)の記録領域を有効に活用することができるとともに、記録領域が満杯になったことをユーザに知らせることもできる。ただし、ｆｉｎｅが選択されたときにはそのｆｉｎｅ（４ｂｉｔ／ｐｅｌ）に対応する大きさの分割領域が確保され、Ｂａｓｉｃ（１ｂｉｔ／ｐｅｌ）が選択されたときにはそのＢａｓｉｃに対応する大きさの分割領域が確保されるため、Ｎｏｒｍａｌでの撮影枚数と、ｆｉｎｅでの撮影枚数と、Ｂａｓｉｃでの撮影枚数とはそれぞれ異なる。
【００７２】
また画素数が指定されると、縦１２８０×横９６０画素を用いて高精細な画像にするか、あるいはその縦１２８０画素×横９６０画素の半分の縦６４０画素×横４８０画素にするかなどのサイズが選択される。
【００７３】
さらにシャープネスやトーンや彩度が設定されると、リニアＭＴＸにセットされる色変換行列の行列係数や輪郭補正部の補正値が変更される。
【００７４】
なお、最後のＩＳＯ感度だけは、撮像素子の画素数に応じて出力時に画素混合を行なわなければならないので、カメラヘッド側に３線シリアルインターフェースを介して通知されている。
【００７５】
このようにカメラヘッドから所定のフォーマットの画像信号がカメラ本体側に供給されるようになっていると、カメラ本体側はどのようなカメラヘッドが装着されたかを全く考えずに、カメラヘッドとは無関係にカメラ本体側の信号処理部で設定に応じた画像処理を行なうことができる。
【００７６】
また、この実施形態では、カメラヘッドからカメラ本体へ所定のフォーマットの第２の画像信号を送信するにあたって、前述したｆｉｎｅの圧縮率での圧縮を行なった場合に最もデータ量が多くなることを利用して、そのｆｉｎｅの圧縮仕様で圧縮処理された画像信号を第２の画像信号としている。
【００７７】
図６は、そのｆｉｎｅの圧縮仕様を説明する図である。
【００７８】
図６に示す圧縮仕様にしたがって圧縮処理された画像信号が第２の画像信号としてカメラヘッドからカメラ本体へ向けて送信される。
【００７９】
このように圧縮率の圧縮仕様を所定のフォーマットとすると、デジタルカメラには必ず配備されているＪＰＥＧ圧縮・伸張部のうちの圧縮部を用いて所定のフォーマットの第２の画像信号を簡単に生成することができる。
【００８０】
最後に、このカメラシステムでセットアップモードが起動され、さらに撮影が行なわれてメモリカードに画像信号が記録されるまでの画像信号の流れを、カメラ本体側とカメラヘッド側との間のやり取りを示しながら順を追って説明していく。
【００８１】
図７は、セットアップモードから撮影モードへ移行し、さらに撮影モード時に撮影が行なわれるまでの処理手順の推移を説明する図である。
【００８２】
カメラ本体側の処理ステップＳ＊＊＊の最後尾にはカメラ本体側の処理であることを示すために符号ｂが追記されており、カメラヘッド側の処理ステップＳ＊＊＊の最後尾には同様に符号ａが追記されている。また図７の中にはカメラ本体１ｂとカメラヘッド１ａとの間のやり取りの内容が文字で示されており、さらに文字で示されている内容がカメラ本体１ｂ側からカメラヘッド１ａ側へ送信されているものであるか、カメラヘッド１ａ側からカメラ本体１ｂ側へ送信されているものであるかが矢印で示されている。
【００８３】
本体側は本体ＣＰＵが、ヘッド側はヘッドＣＰＵがそれぞれ各処理ステップを実行する。
【００８４】
ステップＳ７０１ｂでＳｅｔＵｐモードを起動し図５に示すセットアップモードの表示画面をＬＣＤパネル上に表示させ、さらにステップＳ７０２に示すような設定（図５中には設定項目が枠で示されている）が行なわれたら、まずカメラ本体１ｂからＩＳＯ感度（図５では  ＩＳＯ感度２００）を、３線シリアルインターフェースを介してカメラヘッド１ａに通知する。
【００８５】
この通知を受けてステップＳ７０３ａでＩＳＯ感度２００を実現する振幅調整用のゲインをアナログ信号処理部１３ａにセットしたり、または後段のデジタル信号処理部１４０ａにセットしたりする。このようにステップＳ７０３ａでＩＳＯ感度に応じた信号処理を行なうようにゲインをセットしたら、ヘッドＣＰＵ１９ａは３線シリアルインターフェースを介してカメラ本体１ｂに設定ＯＫを返送する。
【００８６】
そうしたら、ステップＳ７０４ｂでシステムメモリ内の静止画撮影モードプログラムを起動して、３線シリアルインターフェースを介してカメラヘッド１ａにスルー画の送信要求を通知する。これを受けてカメラヘッド１ａからスルー画信号が高速シリアルインターフェースでカメラ本体側へ非圧縮状態では４００×３００の画素数になるスルー画信号がｆｉｎｅのフォーマットで圧縮されて送信されてきたら、これを受けて、ステップＳ７０５ｂでＬＣＤパネルの表示用の信号とするために３２０×２４０の画素数の画像信号に信号処理部でリサイズする。このリサイズした画像信号をフレームメモリに記憶して、そのフレームメモリに記憶した画像信号に基づく画像をＬＣＤパネル上に表示する。
【００８７】
以降ステップＳ７０７ｂ〜Ｓ７０８ｂに示すように所定の時刻ごとに同様の処理を繰り返す。
【００８８】
ステップＳ７０９ｂでレリーズ釦が押されたら、割り込み信号が双方のＣＰＵに供給され、双方のシステムメモリ内の静止画処理プログラムをそれぞれのＣＰＵが起動する。
【００８９】
そうしたら、ステップＳ７１０ａでタイミングジェネレータを制御してレリーズ押下時に得た画像信号を、露光終了後にＣＣＤ１２ａから出力させる。その出力させた信号をアナログ信号処理１３ａ，Ａ／Ｄ部１４ａ、さらにデジタル信号処理部１４０ａへと供給する。このデジタル信号処理部１４０ａで信号処理された信号をＪＰＥＧ圧縮部で圧縮処理しＪＰＥＧ圧縮した信号を高速シリアルバスを介してカメラ本体に送信する。そのＪＰＥＧ圧縮信号を受けて、カメラ本体側の本体ＣＰＵは３線シリアルバスを通してカメラヘッドに画像データ受信ＯＫを送信する。
【００９０】
その後、ステップＳ７１３ｂでＪＰＥＧ解凍をＪＰＥＧ圧縮・伸張部１０３１ｂで行なう。次のステップＳ７１４ｂで、信号処理部１０３ｂにより１８００×１２００画素サイズの画像信号を３２０×２４０画素サイズの画像信号にリサイズ処理し、次のステップＳ７１５ｂでそのリサイズ処理した画像信号をフレームメモリ１０４ｂに記憶して、そのフレームメモリ１０４ｂに記憶した画像信号に基づく画像をＬＣＤ制御部の制御の基にＬＣＤパネル上に表示する。さらに次のステップＳ７１６ｂで解凍した画像信号を信号処理部１０３ｂ内のリニアＭＴＸに供給して色変換行列をセットし、彩度の調整を行なう。
【００９１】
そして、彩度の処理を終えたら、今度はステップＳ７１７ｂで、セットアップモードで指定された画素数にあったサイズに信号処理部１０３ｂでリサイズして、同じく信号処理部１０３ｂの最終段にあるＪＰＥＧ圧縮部１０３８ｂで所定の記録領域内に記録することができるように圧縮してからメモリカード１０８ｂに記録する。このようにして画像信号の記録が終了したら、またステップ７０４ｂからの処理を繰り返す。
【００９２】
以上がスルー画信号、静止画信号の処理に関する手順である。
【００９３】
以上説明したように、カメラ本体１ｂにどのような種類のカメラヘッド１ａが装着されようともカメラ本体に装着されたカメラヘッドであったらどのカメラヘッドからでも送信されてくる第２の画像信号を受けてカメラ本体側でカメラヘッドとは無関係に好適な画像処理が行われるカメラシステムが実現される。
【００９４】
また本実施形態ではカメラヘッドを装着しなくてもカメラ本体単体で再生を行なうことができるようにもしている。
【００９５】
図８はその再生の手順を示す図である。
【００９６】
ステップＳ８０１で、カメラ本体のモードダイヤル１４ｂにより再生モードが選択されたら、ステップＳ８０２でメモリカードから圧縮処理された画像信号をカメラ本体に読み込み、ステップＳ８０３ｂでカメラ本体のＪＰＥＧ圧縮伸張部１０３１ｂでＪＰＥＧ解凍を行なう。さらにステップＳ８０４ｂで解凍した画像信号を信号処理部１０３ｂでリサイズしてフレームメモリ１０４ｂに供給する。ステップＳ８０５ｂでフレームメモリ１０４ｂに記憶した画像信号に基づく画像をＬＣＤパネル上に表示させる。
【００９７】
このようにしておくと、従来のようにカメラヘッドをわざわざ装着しなくてもカメラ本体単体で再生を行なうことができるようになる。
【図面の簡単な説明】
【００９８】
【図１】本発明の一実施形態であるカメラシステムを示す図である。
【図２】その複数の種類の中の一つであるカメラヘッド１ａがカメラ本体１ｂに交換自在に装着されカメラシステム１が構成されたときの外観を示す図である。
【図３】カメラヘッド１ａがカメラ本体１ｂに装着された状態にあるときの電気系統の構成を示すブロック図である。
【図４】本体のデジタル信号処理部１０３ｂの内部構成を示す図である。
【図５】セットアップモードの表示画面を示す図である。
【図６】圧縮率ｆｉｎｅの圧縮仕様を説明する図である。
【図７】セットアップモードから撮影モードへ移行し、さらに撮影モード時に撮影が行なわれるまでの処理手順の推移を説明する図である。
【図８】その再生の手順を示す図である。
【符号の説明】
【００９９】
１  カメラシステム
１ａ  カメラヘッド
１００ａ    電源制御部
１０１ａ    ＤＣ／ＤＣコンバータ
１１ａ    撮影光学系
１２ａ    ＣＣＤ
１３ａ    アナログ信号処理部
１４ａ    Ａ／Ｄ部
１４０ａ    デジタル信号処理部
１４１ａ    ＪＰＥＧ圧縮部
１５０ａ    高速シリアルドライバ
１５１ａ    ３線シリアルＩ／Ｆ
１６ａ    積算回路
１７ａ    絞り／フォーカス／ズーム制御部
１８ａ    ＴＧ
１９ａ    ヘッドＣＰＵ
１９０ａ    システムメモリ（ＲＯＭ／ＲＡＭ）
１９１ａ    不揮発性メモリ
１ｂ    カメラ本体
１０ｂ    ヘッドマウント
１００ｂ    本体ＣＰＵ
１０１ｂ    システムメモリ
１０２ｂ    不揮発性メモリ
１０３ｂ    デジタル信号処理部
１０３１ｂ    オフセット補正部
１０３２ｂ    積算回路
１０３３ｂ    ＷＢゲイン乗算部
１０３４ｂ    リニアＭＴＸ
１０３５ｂ    ガンマ補正部
１０３６ｂ    同時化部
１０３７１ｂ    輪郭補正部
１０３７２ｂ    色差ＭＴＸ
１０３８ｂ    ＪＰＥＧ圧縮部
１０４ｂ    フレームメモリ
１０５ｂ    ＬＣＤ制御部
１０５０ｂ    ＬＣＤ
１０６ｂ    カードＩ／Ｆ
１０７ｂ    メモリカードスロット
１０８ｂ    メモリカード
１０９ｂ    ＪＰＥＧ圧縮・伸張部
１５０ｂ    高速シリアルドライバ
１５５ｂ    ３線シリアルドライバ
【図１】
2006054709.tif 000003
【図２】
2006054709.tif 000004
【図３】
2006054709.tif 000005
【図４】
2006054709.tif 000006
【図５】
2006054709.tif 000007
【図６】
2006054709.tif 000008
【図７】
2006054709.tif 000009
【図８】
2006054709.tif 000010